(57)【要約】【課題】強度を維持しながら使用後に容易に折り畳むことが可能な包装用箱を提供すること。【解決手段】包装用箱は、天面と、底面と、当該天面と底面とを接続する一対の側面と、当該天面、底面及び側面それぞれに接続された複数のフラップとを具備する段ボール製の包装用箱である。前記天面と前記側面、及び、前記底面と前記側面は、それぞれ第１折り曲げ線を介して連設され、前記天面、底面及び側面と前記各フラップ部は、それぞれ前記第１折り曲げ線に垂直な第２折り曲げ線を介して連設される。前記第１折り曲げ線上であって、かつ、前記天面、前記側面及び前記底面上に跨る、前記第１折り曲げ線に交差する線上には、複数の孔部が形成される。【選択図】図５
0003234361.tif 000002
【実用新案登録請求の範囲】
【請求項１】
天面と、底面と、当該天面と底面とを接続する一対の側面と、当該天面、底面及び側面それぞれに接続された複数のフラップとを具備する段ボール製の包装用箱であって、
前記天面と前記側面、及び、前記底面と前記側面は、それぞれ第１折り曲げ線を介して連設され、前記天面、底面及び側面と前記各フラップ部は、それぞれ前記第１折り曲げ線に垂直な第２折り曲げ線を介して連設され、
前記第１折り曲げ線上であって、かつ、前記天面、前記側面及び前記底面上に跨る、前記第１折り曲げ線に交差する線上には、複数の孔部が形成される
包装用箱。
【請求項２】
請求項１に記載の包装用箱であって、
前記孔部は、前記第２折り曲げ線に平行な線上に形成される
包装用箱。
【請求項３】
請求項２に記載の包装用箱であって、
前記第２折り曲げ線に平行な線上には、第３折り曲げ線が形成される
包装用箱。
【請求項４】
請求項３に記載の包装用箱であって、
前記第３折り曲げ線は罫線である
包装用箱
【請求項５】
請求項４に記載の包装用箱であって、
前記罫線は、前記第２折り曲げ線に平行な線に対して所定の斜め方向に所定間隔で形成された複数の罫線の集合体である
包装用箱。
【請求項６】
請求項３乃至５のいずれかに記載の包装用箱であって、
前記第３折り曲げ線は、前記段ボールの段目の谷線に沿って形成される
包装用箱。
【請求項７】
請求項１乃至６のいずれかに記載の包装用箱であって、
前記孔部は、前記第２折り曲げ線に平行な線上及び前記第１折り曲げ線上に各頂点を有する菱形状に形成される
包装用箱。
【請求項８】
天面と、底面と、当該天面と底面とを接続する一対の側面と、当該天面、底面及び側面それぞれに接続された複数のフラップとを具備する段ボール製の包装用箱であって、
前記天面と前記側面、及び、前記底面と前記側面は、それぞれ第１折り曲げ線を介して連設され、前記天面、底面及び側面と前記各フラップ部は、それぞれ前記第１折り曲げ線に垂直な第２折り曲げ線を介して連設され、
前記天面、前記側面及び前記底面上に跨って、前記段ボールの段目の谷線に沿って、前記第２折り曲げ線に平行な第３折り曲げ線が形成される
包装用箱。
【考案の詳細な説明】
【技術分野】
【０００１】
本考案は、段ボール板から組み立てられ、例えば缶飲料やボトル飲料等の容器を収容・包装する包装用箱に関する。
【背景技術】
【０００２】
従来から、段ボール製の包装用箱は、使用後には、特に比較的大きなサイズのものは小さく折り畳んで廃棄するのが一般的であり、この折り畳みをし易くした包装用箱が存在する。
【０００３】
例えば、特許文献１には、箱の胴部を構成する２組の対向側板のうち、少なくとも１組の対向側板とその上下に連なる蓋板及び／又は底板を、山折りと谷折りの繰り返し折り曲げ線を備えるアコ−ディオン（蛇腹）構造にし、使用後の箱を容易且つコンパクトに折りたたむことができるようにした包装箱が開示されている。
【先行技術文献】
【特許文献】
【０００４】
【特許文献１】特開２００９−１３７６２５号公報
【考案の概要】
【考案が解決しようとする課題】
【０００５】
しかしながら、上記特許文献１に記載の技術では、対向側面を蛇腹構造とするため製造工程が複雑となり、また側面の強度が落ちるという問題もある。
【０００６】
以上のような事情に鑑み、本考案の目的は、強度を維持しながら使用後に容易に折り畳むことが可能な包装用箱を提供することにある。
【課題を解決するための手段】
【０００７】
上記目的を達成するため、本考案の一形態に係る包装用箱は、天面と、底面と、当該天面と底面とを接続する一対の側面と、当該天面、底面及び側面それぞれに接続された複数のフラップとを具備する段ボール製の包装用箱である。前記天面と前記側面、及び、前記底面と前記側面は、それぞれ第１折り曲げ線を介して連設され、前記天面、底面及び側面と前記各フラップ部は、それぞれ前記第１折り曲げ線に垂直な第２折り曲げ線を介して連設される。前記第１折り曲げ線上であって、かつ、前記天面、前記側面及び前記底面上に跨る、前記第１折り曲げ線に交差する線上には、複数の孔部が形成される。
【０００８】
この構成により、第１折り曲げ線上に孔部を設けることで、強度を維持しながら使用後に容易に折り畳むことが可能な包装用箱を提供することが可能となる。
【０００９】
前記孔部は、前記第２折り曲げ線に平行な線上に形成されてもよい。
【００１０】
これにより、使用後の包装用箱を第２折り曲げ線に沿ってきれいに折り畳むことができる。
【００１１】
前記第２折り曲げ線に平行な線上には、第３折り曲げ線が形成されてもよい。
【００１２】
これにより、孔部のみならず折り曲げ線を形成することで、より容易に包装用箱を折り畳むことができる。
【００１３】
前記第３折り曲げ線は罫線であってもよい。
【００１４】
前記罫線は、前記第２折り曲げ線に平行な線に対して所定の斜め方向に所定間隔で形成された複数の罫線（スラッシュ状の罫線）の集合体であってもよい。
【００１５】
これにより、一般的な直線状の罫線やミシン目と比較して、折った際に段目の山谷の影響を受けにくく、柔らかく幅のある折目となるため、より容易に包装用箱を折り畳むことができる。
【００１６】
前記第３折り曲げ線は、前記段ボールの段目の谷線に沿って形成されてもよい。
【００１７】
これにより谷線に沿って折目がつくため、より容易に包装用箱を折り畳むことができる。
【００１８】
前記孔部は、前記第２折り曲げ線に平行な線上及び前記第１折り曲げ線上に各頂点を有する菱形状に形成されてもよい。
【００１９】
これにより、第２折り曲げ線に平行な線上に菱形の頂点が位置することで、当該頂点を起点として包装用箱を容易に折り畳むことができる。
【００２０】
本考案の他の形態に係る包装用箱は、天面と、底面と、当該天面と底面とを接続する一対の側面と、当該天面、底面及び側面それぞれに接続された複数のフラップとを具備する段ボール製の包装用箱である。前記天面と前記側面、及び、前記底面と前記側面は、それぞれ第１折り曲げ線を介して連設され、前記天面、底面及び側面と前記各フラップ部は、それぞれ前記第１折り曲げ線に垂直な第２折り曲げ線を介して連設される。前記天面、前記側面及び前記底面上に跨って、前記段ボールの段目の谷線に沿って、前記第２折り曲げ線に平行な第３折り曲げ線が形成される。
【００２１】
この構成により、第３折り曲げ線と谷線に沿って折目が形成されるため、強度を維持しながら使用後に容易に折り畳むことが可能な包装用箱を提供することが可能となる。
【考案の効果】
【００２２】
本考案によれば、強度を維持しながら使用後に容易に折り畳むことが可能な包装用箱を提供することができる。しかしながら、本効果は本考案を限定するものではない。
【図面の簡単な説明】
【００２３】
【図１】本考案の一実施形態に係る包装用箱の外観を示す斜視図である。
【図２】本考案の一実施形態に係る包装用箱の展開図である。
【図３】本考案の一実施形態に係る包装用箱のフラップを全て開けた様子を示した図である。
【図４】図３の包装用箱を孔部が形成された第１折り曲げ線で折り畳んだ様子を示した図である。
【図５】図４の包装用箱を孔部と第３折り曲げ線で折り畳む途中の様子を示した図である。
【図６】図５の包装用箱の折り畳みが完了した様子を示した図である。
【考案を実施するための形態】
【００２４】
以下、図面を参照しながら、本考案の実施形態を説明する。尚、本明細書において、「同じ」、「同一」及び「等しい」という意味には、本考案が属する技術分野で一般的に許容される誤差の範囲が含まれ得る。
【００２５】
［包装用箱及び孔部の構成］
図１は、本考案の一実施形態に係る包装用箱の外観を示す斜視図である。また図２は、当該包装用箱の展開図（組立前のブランクの図）である。
【００２６】
両図に示すように、包装用箱１００は、段ボール板から組み立てられるものであり、天面１、底面２、一対の側面３（３ａ，３ｂ）、及びそれら天面１、底面２及び側面３に接続されたフラップ４を有する。当該包装用箱１００には、例えば飲料缶等の収容物が収容される。
【００２７】
図２に示すように、側面３ａの長辺には糊代部６が延設されており、組立時には当該糊代部６が天面１の端部に接着される。
【００２８】
天面１と側面３、及び、底面２と側面３は、それぞれ第１折り曲げ線Ｌ１（図２左側からＬ１ａ、Ｌ１ｂ、Ｌ１ｃ、Ｌ１ｄ）を介して連設されている。天面１、底面２及び側面３と、各フラップ４は、それぞれ上記第１折り曲げ線に垂直な第２折り曲げ線Ｌ２を介して連設される。
【００２９】
天面１、側面３及び底面２上に跨る、第１折り曲げ線Ｌ１を二分する線（第２折り曲げ線Ｌ２に平行な線）又は二分する線と同一になるような線上には、第３折り曲げ線Ｌ３が形成されていることが好ましい。この第３折り曲げ線Ｌ３は、上記第２折り曲げ線Ｌ２に平行な線に対して所定の斜め方向（例えば４５度）に所定間隔で形成された複数の罫線（スラッシュ状の罫線）の集合体であることがより好ましい。
【００３０】
図２の符号Ｓで示す円形部分は、包装用箱１００を構成する段ボール板の段目を示す。当該段目Ｓとして、山線Ｐと谷線Ｔが交互に現れる。第２折り曲げ線Ｌ２及び第３折り曲げ線Ｌ３は、当該段目Ｓと平行に形成されている。そして第３折り曲げ線Ｌ３は、当該段目Ｓの谷線Ｔに沿って形成されていることが好ましい。すなわち、第３折り曲げ線Ｌ３は、上記第２折り曲げ線Ｌ２に平行な線として谷線Ｔと一致し、上記斜めの各罫線が当該谷線Ｔの両端の２つの山線Ｐの間に位置するように設けられていることが可能となる。
【００３１】
そして、第１折り曲げ線Ｌ１と第３折り曲げ線Ｌ３の交点には、複数の孔部５が形成される。本実施形態では、孔部５は、４本の第１折り曲げ線Ｌ１ａ、Ｌ１ｂ、Ｌ１ｃ、Ｌ１ｄのうち、図２の左側から見て２番目と４番目の第１折り曲げ線Ｌ１ｂ及びＬ１ｄ上にそれぞれ１つずつ設けられている。
【００３２】
当該孔部５は、菱形状（正方形状）に形成されているのが好ましい。それにより、当該孔部５は、第１折り曲げ線Ｌ１上に上下の頂点を有し、第２折り曲げ線Ｌ２に平行又は平行と同一な線上に左右の頂点を有することが可能となる。当該孔部５の各辺の長さは例えば１０ｍｍとされるが、これに限られず、包装用箱１００のサイズ等に応じて適宜調整される。
【００３３】
当該孔部５及び上記第３折り曲げ線Ｌ３は、包装用箱１００を使用後に廃棄する際に折り畳みやすくするためのものである。
【００３４】
［包装用箱の折り畳み方法］
次に、当該包装用箱１００を使用後の廃棄時に折り畳む方法について説明する。
【００３５】
作業者はまず、図３に示すように、包装用箱１００のフラップ４を全て開く。
【００３６】
続いて、図４に示すように、図３の状態から、孔部５が形成された２本の第１折り曲げ線Ｌ１ｂ及びＬ１ｄで折り畳み、扁平状にする。これにより、２つの孔部５がこの扁平体の両端辺に位置することになる。
【００３７】
そして、図５及び図６に示すように、図４の扁平状の包装用箱１００を、２つの孔部５と第３折り曲げ線Ｌ３を基準にして（手前に）二つ折りにする。
【００３８】
このように、孔部５及び第３折り曲げ線Ｌ３を用いることで、使用後の包装用箱１００を第２折り曲げ線Ｌ２に沿ってきれいに折り畳むことができる。
【００３９】
また、孔部５の形状を菱形とすることで、第２折り曲げ線Ｌ２に平行又は平行と同一な線上に菱形の頂点が位置することで、当該頂点を起点として包装用箱１００を容易に折り畳むことができる。
【００４０】
さらに、第３折り曲げ線Ｌ３をスラッシュ状の罫線とすることで、第３折り曲げ線Ｌ３は、上下方向に所定の幅寸法を有する罫線の集合体として形成される。それにより、第３折り曲げ線Ｌ３は、一般的な直線状の罫線やミシン目と比較して、折った際に段目Ｓの山谷の影響を受けにくく、柔らかく幅のある折目となるため、より容易に包装用箱１００を折り畳むことができる。
【００４１】
［変形例］
本発明は上述の実施形態にのみ限定されるものではなく、本発明の要旨を逸脱しない範囲内において種々変更され得る。
【００４２】
上述の実施形態では、孔部５は菱形に形成されていたが、孔部５は、菱形以外の矩形や円形等、あらゆる形状に形成され得る。
【００４３】
上述の実施形態では、第３折り曲げ線Ｌ３として斜め（スラッシュ状）の罫線が示されたが、第３折り曲げ線Ｌ３は、一般的な直線状の罫線であってもよいし、ミシン目（リード罫線）加工が施されたものであってもよい。
【００４４】
上述の実施形態では、孔部５は、４本の第１折り曲げ線Ｌ１ａ、Ｌ１ｂ、Ｌ１ｃ、Ｌ１ｄのうち、図２の左側から見て２番目と４番目の第１折り曲げ線Ｌ１ｂ及びＬ１ｄ上に計２つ設けられた。しかし、孔部５の数及び位置はこれに限られず、例えば４本全ての第１折り曲げ線Ｌ１上に設けられてもよい。それにより、孔部５同士による左右方向の間隔を狭くすることができ、孔部５の頂点を起点とし、包装用箱１００を容易に折り畳むことができる。
【００４５】
また上述の実施形態では、第３折り曲げ線Ｌ３が１本のみ設けられたが、複数本設けられてもよい。例えば第１折り曲げ線Ｌ１を３等分するように第３折り曲げ線Ｌ３が２本形成され、当該２本の第３折り曲げ線Ｌ３上にそれぞれ（すなわち、各第１折り曲げ線Ｌ１に２つずつ）孔部５が設けられてもよい。それにより、包装用箱１００は、上下方向に複数本の第３折り曲げ線Ｌ３を有し、コンパクトな折り畳みを可能とすることができる。
【００４６】
上述の実施形態では、第３折り曲げ線Ｌ３は、第２折り曲げ線Ｌ２に平行又は平行と同一（第１折り曲げ線Ｌ１に垂直又は垂直と同一）に形成された。しかし、第３折り曲げ線Ｌ３は、天面１、側面３、及び底面２に亘って第１折り曲げ線Ｌ１に交差するものであれば、必ずしも第２折り曲げ線Ｌ２に平行（第１折り曲げ線Ｌ１に垂直）なものでなくてもよい。例えば第３折り曲げ線Ｌ３が、第２折り曲げ線Ｌ２との角度が１０度または２０度となるように形成され、当該第３折り曲げ線Ｌ３上に孔部５が形成されてもよい。
【００４７】
上述の実施形態では、第３折り曲げ線Ｌ３上に孔部５が設けられた。しかし、使用後の包装用箱１００を折り畳むための手段として、孔部５が設けられず、第３折り曲げ線Ｌ３のみが設けられてもよい。この場合、第３折り曲げ線Ｌ３は、上記段ボールの段目Ｓの谷線Ｔに沿って、上記第２折り曲げ線Ｌ２に平行に形成される。これにより、孔部５が無くても包装用箱１００を折り畳むための手段として十分に機能させることができる。
【００４８】
この場合、第３折り曲げ線Ｌ３は、上記第２折り曲げ線Ｌ２に平行な線が谷線Ｔと一致するように形成され、第３折り曲げ線Ｌ３が上述の実施形態と同様に斜めの罫線であれば、当該斜めの各罫線が当該谷線Ｔの両端の２つの山線Ｐの間に位置するように設けられる。第３折り曲げ線Ｌ３が第２折り曲げ線Ｌ２と平行又は平行と同一な罫線またはミシン目の場合、それらは上記段目Ｓの谷線Ｔと一致するように形成される。
【符号の説明】
【００４９】
１…天面
２…底面
３…側面
４…フラップ
５…孔部
６…糊代部
１００…包装用箱
Ｌ１…第１折り曲げ線
Ｌ２…第２折り曲げ線
Ｌ３…第３折り曲げ線
Ｓ…段目
Ｐ…山線
Ｔ…谷線
【図１】
0003234361.tif 000003
【図２】
0003234361.tif 000004
【図３】
0003234361.tif 000005
【図４】
0003234361.tif 000006
【図５】
0003234361.tif 000007
【図６】
0003234361.tif 000008